【手続補正書】
【提出日】平成15年7月18日(2003.7.18)
【手続補正１】
【補正対象書類名】明細書
【補正対象項目名】特許請求の範囲
【補正方法】変更
【補正の内容】
【特許請求の範囲】
【請求項１】
被洗浄物を収納し、かつ洗浄水を貯水する洗浄槽と、洗浄槽に洗浄水を給水するための給水弁と、給水された洗浄水を加圧するための加圧ポンプと、加圧された洗浄水を被洗浄物に向けて噴射するための噴射ノズルと、洗浄水を排水する排水モータと、洗浄水の水位を検出するための水位検知装置とを備えた食器洗浄機において、
前記水位検知装置は洗浄槽の側面に設けられ、洗浄槽と連通するフロート室と、フロート室内に装着され、洗浄槽の水位に連動して上下動する磁石付フロートと、磁石付フロートの磁石の側方近傍に配置されたホール素子とからなり、
該磁石付きフロートの磁石は極性の異なる磁極を有することを特徴とする食器洗浄機。
【請求項２】
前記磁石付フロートの磁石は極性の異なる磁極を上部と下部に配置したことを特徴とする請求項１記載の食器洗浄機。
【請求項３】
前記磁石付フロートの磁石は希土類磁石であることを特徴とする請求項２記載の食器洗浄機。
【請求項４】
前記磁石付フロートの磁石は極性の異なる磁極をホール素子側の上下に配置したことを特徴とする請求項１記載の食器洗浄機。
【請求項５】
前記磁石付フロートの磁石は極を違えた方向で上下に組み合わせた２つの磁石からなり、各磁石はホール素子側とその反対側に極性の異なる磁極を配置したことを特徴とする請求項１記載の食器洗浄機。
【請求項６】
前記磁石付フロートの磁石はフェライト磁石であることを特徴とする請求項４又は５のいずれか記載の食器洗浄機。
【請求項７】
前記磁石付フロートの磁石は磁石モールド部で覆われ、該磁石モールド部のホール素子側で磁石の磁極に対応する位置にそれぞれ窓を設けたことを特徴とする請求項４、５又は６のいずれか記載の食器洗浄機。
【請求項８】
前記フロート室の上部を閉塞する蓋体を設け、該蓋体に形成したホール素子の固定部を、該蓋体の下面に形成した磁石付きフロートの上下動を案内するガイド部の一部としたことを特徴とする請求項１〜７のいずれかに記載の食器洗浄機。
【手続補正２】
【補正対象書類名】明細書
【補正対象項目名】００１２
【補正方法】変更
【補正の内容】
【００１２】
【課題を解決するための手段】
本発明の請求項１に係る食器洗浄機は、被洗浄物を収納し、かつ洗浄水を貯水する洗浄槽と、洗浄槽に洗浄水を給水するための給水弁と、給水された洗浄水を加圧するための加圧ポンプと、加圧された洗浄水を被洗浄物に向けて噴射するための噴射ノズルと、洗浄水を排水する排水モータと、洗浄水の水位を検出するための水位検知装置とを備えた食器洗浄機において、前記水位検知装置は洗浄槽の側面に設けられ、洗浄槽と連通するフロート室と、フロート室内に装着され、洗浄槽の水位に連動して上下動する磁石付フロートと、磁石付フロートの磁石の側方近傍に配置されたホール素子とからなり、該磁石付フロートの磁石は極性の異なる磁極を有するものである。


【手続補正３】
【補正対象書類名】明細書
【補正対象項目名】００１３
【補正方法】変更
【補正の内容】
【００１３】
本発明の請求項２に係る食器洗浄機の磁石付フロートの磁石は極性の異なる磁極を上部と下部に配置したものである。
本発明の請求項３に係る食器洗浄機の磁石付フロートの磁石は希土類磁石である。


【手続補正４】
【補正対象書類名】明細書
【補正対象項目名】００１４
【補正方法】変更
【補正の内容】
【００１４】
本発明の請求項４に係る食器洗浄機の磁石付フロートの磁石は極性の異なる磁極をホール素子側の上下に配置したものである。
本発明の請求項５に係る食器洗浄機の磁石付フロートの磁石は極を違えた方向で上下に組み合わせた２つの磁石からなり、各磁石はホール素子側とその反対側に異なる磁極を配置したものである。
本発明の請求項６に係る食器洗浄機の磁石付フロートの磁石はフェライト磁石である。


【手続補正５】
【補正対象書類名】明細書
【補正対象項目名】００１５
【補正方法】変更
【補正の内容】
【００１５】
本発明の請求項７に係る食器洗浄機の磁石付フロートの磁石は磁石モールド部で覆われ、該磁石モールド部のホール素子側で磁石の磁極に対応する位置にそれぞれ窓を設けたものである。
本発明の請求項８に係る食器洗浄機はそのフロート室の上部を閉塞する蓋体を設け、該蓋体に形成したホール素子の固定部を、該蓋体の下面に形成した磁石付フロートの上下動を案内するガイド部の一部としたものである。


【手続補正６】
【補正対象書類名】明細書
【補正対象項目名】００３６
【補正方法】変更
【補正の内容】
【００３６】
【発明の効果】
本発明の食器洗浄機は以上説明したとおり、水位検知装置が洗浄槽の側面に設けられ、洗浄槽と連通するフロート室と、フロート室内に装着され、洗浄槽の水位に連動して上下動する磁石付フロートと、磁石付フロートの磁石の側方近傍に配置されたホール素子とからなり、該磁石付きフロートの磁石は極性の異なる磁極を有するので、組立の際にホール素子の反応ポイントに従来のような大きなバラツキがないため、一定の基準を定めてホール素子の選別を行って食器洗浄機に搭載するとか、予め測定したホール素子の反応ポイントに合わせ、ホール素子が実装されたプリント配線板の固定位置を個々に調整する必要がなく、水位検知装置の信頼性、量産性を確保できる食器洗浄機を得ることができるという効果がある。


【手続補正７】
【補正対象書類名】明細書
【補正対象項目名】００３７
【補正方法】変更
【補正の内容】
【００３７】
また、本発明の食器洗浄機では、磁石付フロートの磁石は極性の異なる磁極を上部と下部に配置したので、組立の際にホール素子の反応ポイントに従来のような大きなバラツキがないため、一定の基準を定めてホール素子の選別を行って食器洗浄機に搭載するとか、予め測定したホール素子の反応ポイントに合わせ、ホール素子が実装されたプリント配線板の固定位置を個々に調整する必要がなく、水位検知装置の信頼性、量産性を確保できる食器洗浄機を得ることができるという効果がある。
さらに、磁石付フロートの磁石は希土類磁石としたことにより、大変強い磁力を得ることができるため、組立の際にホール素子の反応ポイントに従来のような大きなバラツキがいないという効果がある。


【手続補正８】
【補正対象書類名】明細書
【補正対象項目名】００３８
【補正方法】変更
【補正の内容】
【００３８】
また、本発明の食器洗浄機は、磁石付フロートの磁石は極性の異なる磁極をホール素子側の上下に配置したので、ホール素子側の反応効率が高まり、組立の際にホール素子の反応ポイントにより一層大きなバラツキがないという効果がある。
さらに、磁石付フロートの磁石は極を違えた方向で上下に組み合わせた２つの磁石からなり、各磁石はホール素子側とその反対側に異なる磁極を配置したので、強い磁力を得ることができると共にホール素子側の反応効率が高まり、さらには極変化ポイントが両磁石の境目にあり、極変化ポイントのバラツキがなくなり、組立の際にホール素子の反応ポイントにより一層大きなバラツキがないことにより、結局水位検出のバラツキも少なくなるという効果がある。
また、磁石付フロートの磁石はフェライト磁石としたことにより、扱い易く、大量生産に向いた水位検知装置を製造することが可能になるという効果がある。


【手続補正９】
【補正対象書類名】明細書
【補正対象項目名】００３９
【補正方法】変更
【補正の内容】
【００３９】
また、本発明の食器洗浄機は、磁石付フロートの磁石が磁石モールド部で覆われ、該磁石モールド部のホール素子側で磁石の磁極に対応する位置にそれぞれ窓を設けたので、磁石の磁極に塗装を施すことで、極面に施された塗装色によって、組立時に極の配置を容易に確認できるため、磁石の極性の配置を間違えて組み立てることがなくなるという効果がある。
さらに、本発明の食器洗浄機は、のフロート室の上部を閉塞する蓋体を設け、該蓋体に形成したホール素子の固定部を、該蓋体の下面に形成した磁石付フロートの上下動を案内するガイド部の一部としたので、磁石付フロートの上昇に伴い磁石も上昇するときに、ホール素子の固定部とガイド部が磁石の位置ずれを防止するよう案内するため、磁石の位置ずれによる距離の影響による磁力低下が防止でき、ホール素子が規定の水位を正確に検出することができ、水位検知装置の信頼性が向上するという効果がある。